(57)【要約】【課題】スピーカが出力する音の音量を適切な大きさにすることができるインターホン装置、インターホンシステム、音量制御方法及びプログラムを提供する。【解決手段】通信部２１は、通信装置（インターホン親機４）と通信し、通信装置への第１の音情報の出力と、通信装置が出力する第２の音情報の入力の受け付けとを行う。音量制御部３１は、第２の音情報に基づいた音であってスピーカ２３が出力する音の音量を制御する。通信部２１が通信装置と通信しているとき、音量制御部３１は、音量を、第１の音量と第２の音量との間で切替え可能である。第２の音量は、第１の音量よりも大きい。【選択図】図２
2019193068.tif 000002
【特許請求の範囲】
【請求項１】
施設の第１のスペースに設置されるインターホン装置であって、
前記施設の前記第１のスペースとは異なる第２のスペースに設置された通信装置へ呼出信号を出力し、前記通信装置が前記呼出信号に応答すると、前記通信装置と通信し、前記通信装置への第１の音情報の出力と、前記通信装置が出力する第２の音情報の入力の受け付けとを行う通信部と、
前記第２の音情報に基づいた音であって前記第１のスペースに設置されたスピーカが出力する音の音量を制御する音量制御部と、を備え、
前記通信部が前記通信装置と通信しているとき、前記音量制御部は、前記音量を、第１の音量と前記第１の音量よりも大きい第２の音量との間で切替え可能である、
インターホン装置。
【請求項２】
外部からの操作を受け付ける操作部を更に備え、
前記音量制御部は、前記操作部に所定の操作がされると、前記音量を前記第１の音量又は前記第２の音量にする、
請求項１記載のインターホン装置。
【請求項３】
前記音量制御部は、前記操作部に前記所定の操作がされると、前記音量を前記第２の音量にし、
前記音量制御部は、前記操作部に前記所定の操作とは異なる規定の操作がされると、前記音量を前記第１の音量にする、
請求項２記載のインターホン装置。
【請求項４】
前記音量制御部は、前記操作部に前記所定の操作がされた状態が継続しているときは、前記音量を前記第２の音量にし、前記操作部に前記所定の操作がされていないときは、前記音量を前記第１の音量にする、
請求項２記載のインターホン装置。
【請求項５】
前記音量制御部は、前記操作部に前記所定の操作がされた状態が継続しているときは、前記音量を前記第１の音量にし、前記操作部に前記所定の操作がされていないときは、前記音量を前記第２の音量にする、
請求項２記載のインターホン装置。
【請求項６】
前記音量制御部は、前記通信部が前記通信装置との通信を開始すると、前記音量を前記第１の音量にする、
請求項２〜４のいずれか一項に記載のインターホン装置。
【請求項７】
前記操作部は、外部からの操作を受け付けるディスプレイを含み、
前記ディスプレイは、前記通信部が前記通信装置と通信しているとき、外部からの操作を受け付ける領域を示す画像を表示し、前記通信部と前記通信装置との通信が終了すると、前記画像の表示をやめる、
請求項２〜６のいずれか一項に記載のインターホン装置。
【請求項８】
前記通信部が前記通信装置と通信しているとき、前記音量制御部は、第１の時間帯に前記音量を前記第１の音量にし、前記第１の時間帯とは異なる第２の時間帯に前記音量を前記第２の音量にする、
請求項１〜７のいずれか一項に記載のインターホン装置。
【請求項９】
前記音量制御部は、前記第１のスペースに設置されたマイクロホンに入力された音に基づいて、前記音量を前記第１の音量又は前記第２の音量にする、
請求項１〜８のいずれか一項に記載のインターホン装置。
【請求項１０】
前記第１のスペースに設置されたマイクロホンに入力された音に基づく前記第１の音情報の前記通信部から前記通信装置への出力を制御する出力制御部を更に備え、
前記出力制御部は、前記音量制御部が前記音量を前記第２の音量にしているとき、前記第１の音情報の前記通信部から前記通信装置への出力を停止させる、又は、前記第１の音情報に基づいた音であって前記第２のスペースに設置されたスピーカが出力する音の音量が小さくなるように、前記第１の音情報を変更する、
請求項１〜９のいずれか一項に記載のインターホン装置。
【請求項１１】
前記第２の音量の大きさを設定する設定部を更に備える、
請求項１〜１０のいずれか一項に記載のインターホン装置。
【請求項１２】
前記音量が前記第１の音量であるのか、前記第２の音量であるのかを報知する報知部を更に備える、
請求項１〜１１のいずれか一項に記載のインターホン装置。
【請求項１３】
請求項１〜１２のいずれか一項に記載のインターホン装置と、
前記通信部と通信する前記通信装置と、を備える、
インターホンシステム。
【請求項１４】
施設の第１のスペースに設置されるスピーカが出力する音の音量制御方法であって、
前記施設の前記第１のスペースとは異なる第２のスペースに設置された通信装置へ呼出信号を出力し、前記通信装置が前記呼出信号に応答すると、前記通信装置と通信し、前記通信装置への第１の音情報の出力と、前記通信装置が出力する第２の音情報の入力の受け付けとを行う通信ステップと、
前記第２の音情報に基づいた音であって前記スピーカが出力する音の音量を制御する音量制御ステップと、を備え、
前記音量制御ステップでは、前記通信ステップの実行中に、前記音量を、第１の音量と前記第１の音量よりも大きい第２の音量との間で切替え可能である、
音量制御方法。
【請求項１５】
請求項１４記載の音量制御方法を、コンピュータシステムに実行させるための、
プログラム。
【発明の詳細な説明】
【技術分野】
【０００１】
本開示はインターホン装置、インターホンシステム、音量制御方法及びプログラムに関し、より詳細には、通信装置と通信するインターホン装置、このインターホン装置を備えるインターホンシステム、音量制御方法及びプログラムに関する。
【背景技術】
【０００２】
従来例として特許文献１記載のインターホンシステムを例示する。特許文献１記載のインターホンシステムは、住戸の屋外に設置される子機と、住戸の屋内に設置されるとともに子機との間で音声を授受する親機と、を有している。親機は、マイクロホン並びにスピーカと、子機との拡声通話のために音声信号を処理する音声信号処理部と、を含み、マイクロホンから出力されて音声信号処理部で処理された音声信号（送話信号）を信号線を介して子機に伝送する。子機は、マイクロホン並びにスピーカを含み、マイクロホンから出力する音声信号を信号処理するとともに信号線を介して伝送される音声信号を信号処理してスピーカから音声を鳴動させる。
【先行技術文献】
【特許文献】
【０００３】
【特許文献１】特開２０１０−０３４８０５号公報
【発明の概要】
【発明が解決しようとする課題】
【０００４】
特許文献１に記載されているようなインターホンシステムにおいて、例えば、子機の周囲の音の大きさ、子機を利用する来訪者の聴力の個人差及び、親機を利用する住人の声の大きさによって、子機のスピーカが出力する音声の音量の要求は異なる。特許文献１記載のインターホンシステムでは、子機のスピーカが出力する音声の音量が小さくて来訪者にとって聞き取り辛かったり、子機のスピーカが出力する音声の音量が不必要に大きかったりする場合があった。
【０００５】
本開示は、スピーカが出力する音の音量を適切な大きさにすることができるインターホン装置、インターホンシステム、音量制御方法及びプログラムを提供することを目的とする。
【課題を解決するための手段】
【０００６】
上記の課題を解決するために、本開示の一態様に係るインターホン装置は、施設の第１のスペースに設置される。前記インターホン装置は、通信部と、音量制御部と、を備える。前記通信部は、通信装置へ呼出信号を出力し、前記通信装置が前記呼出信号に応答すると、前記通信装置と通信し、前記通信装置への第１の音情報の出力と、前記通信装置が出力する第２の音情報の入力の受け付けとを行う。前記通信装置は、前記施設の前記第１のスペースとは異なる第２のスペースに設置される。前記音量制御部は、前記第２の音情報に基づいた音であってスピーカが出力する音の音量を制御する。前記スピーカは、前記第１のスペースに設置される。前記通信部が前記通信装置と通信しているとき、前記音量制御部は、前記音量を、第１の音量と第２の音量との間で切替え可能である。前記第２の音量は、前記第１の音量よりも大きい。
【０００７】
本開示の一態様に係るインターホンシステムは、前記インターホン装置と、前記通信装置と、を備える。前記通信装置は、前記通信部と通信する。
【０００８】
本開示の一態様に係る音量制御方法は、スピーカが出力する音の音量制御方法である。前記スピーカは、施設の第１のスペースに設置される。前記音量制御方法は、通信ステップと、音量制御ステップと、を備える。前記通信ステップでは、通信装置へ呼出信号を出力し、前記通信装置が前記呼出信号に応答すると、前記通信装置と通信し、前記通信装置への第１の音情報の出力と、前記通信装置が出力する第２の音情報の入力の受け付けとを行う。前記通信装置は、前記施設の前記第１のスペースとは異なる第２のスペースに設置される。前記音量制御ステップでは、前記第２の音情報に基づいた音であって前記スピーカが出力する音の音量を制御する。前記音量制御ステップでは、前記通信ステップの実行中に、前記音量を、第１の音量と第２の音量との間で切替え可能である。前記第２の音量は、前記第１の音量よりも大きい。
【０００９】
本開示の一態様に係るプログラムは、前記音量制御方法を、コンピュータシステムに実行させる。
【発明の効果】
【００１０】
本開示の一態様に係るインターホン装置、インターホンシステム、音量制御方法及びプログラムによれば、スピーカが出力する音の音量を適切な大きさにすることができる。
【図面の簡単な説明】
【００１１】
【図１】図１は、一実施形態に係るインターホンシステムの概略図である。
【図２】図２は、同上のインターホンシステムのブロック図である。
【図３】図３は、同上のインターホンシステムの動作例を示すフローチャートである。
【図４】図４は、第１変形例に係るインターホン装置の表示部の正面図である。
【発明を実施するための形態】
【００１２】
以下、実施形態に係るインターホン装置、インターホンシステム、音量制御方法及びプログラムについて、図面を用いて説明する。ただし、以下に説明する実施形態は、本開示の様々な実施形態の一部に過ぎない。下記の実施形態は、本開示の目的を達成できれば、設計等に応じて種々の変更が可能である。
【００１３】
（インターホンシステムの構成）
本実施形態のインターホンシステム１は、図１に示すように、インターホン子機２（インターホン装置）と、複数のインターホン親機４（通信装置）と、を備えている。インターホンシステム１は、制御装置６を更に備えている。インターホンシステム１は、例えば、集合住宅、戸建て住宅、オフィス、雑居ビル又は工場等の施設に設置される。
【００１４】
インターホン子機２は、施設の管理領域外の第１のスペースに設置される。インターホンシステム１が集合住宅に設置される場合には、管理領域は、例えば、各住戸の専有部であり、第１のスペースは、例えば、集合住宅の共同ロビー又は集合住宅の各住戸の玄関前（室外）のスペースである。インターホンシステム１が戸建て住宅に設置される場合は、管理領域は、例えば、戸建て住宅の室内であり、第１のスペースは、例えば、玄関前（室外）のスペースである。
【００１５】
複数のインターホン親機４の各々は、施設の管理領域内の第２のスペースに設置される。第２のスペースは、施設のうち、第１のスペースとは異なるスペースである。インターホンシステム１が集合住宅に設置される場合には、第２のスペースは、例えば、集合住宅の各住戸の室内のスペースである。インターホンシステム１が戸建て住宅に設置される場合は、第２のスペースは、例えば、室内のスペースである。
【００１６】
本実施形態では、インターホンシステム１が集合住宅に設置され、第１のスペースは集合住宅の共同ロビーであり、第２のスペースは集合住宅の各住戸の室内のスペースである場合を例に説明する。すなわち、インターホン子機２は共同ロビーに設置される。複数のインターホン親機４は、複数の住戸と一対一で対応している。各インターホン親機４は、対応する住戸の室内のスペースに設置される。
【００１７】
図２に示すように、インターホン子機２は、通信部２１と、制御部３と、を備えている。制御部３は、音量制御部３１を有している。制御部３は、出力制御部３２と、設定部３３と、記憶部３４と、を更に有している。インターホン子機２は、受話回路２２と、スピーカ２３と、送話回路２４と、マイクロホン２５と、第１の操作部２６と、第２の操作部２７（操作部）と、表示部２８（報知部）と、カメラ２９と、を更に備えている。
【００１８】
インターホン親機４は、通信部４１を有している。通信部４１は、インターホン子機２の通信部２１と通信する。インターホン親機４は、制御部５と、受話回路４２と、スピーカ４３と、送話回路４４と、マイクロホン４５と、親機側操作部４６と、表示部４８と、を更に備えている。制御部５は、記憶部５４を有している。
【００１９】
制御部３、５の各々は、例えば、プロセッサを有するコンピュータにより構成されている。制御部３、５の各々の機能の少なくとも一部は、プロセッサがプログラムを実行することにより実現される。
【００２０】
記憶部３４、５４の各々は、例えば、電気的に書き換え可能な不揮発性のメモリ（フラッシュメモリ等）である。制御部３のプロセッサが実行するプログラムは、記憶部３４に記憶されている。制御部５のプロセッサが実行するプログラムは、記憶部５４に記憶されている。
【００２１】
図１において、制御装置６は、インターホン子機２の通信部２１とインターホン親機４の通信部４１との間の通信を中継し通信部２１と通信部４１との間の通信の有無を切り替える。制御装置６は、例えば、集合住宅の管理人室に設置されている。インターホン子機２の通信部２１とインターホン親機４の通信部４１とは、制御装置６を介して通信路により接続されている。通信路は、インターホンシステム１の一構成である。通信路は、共用部幹線Ｌ１と、主幹線Ｌ２と、複数の分岐器７と、複数の住戸線Ｌ３と、を含む。共用部幹線Ｌ１は、インターホン子機２の通信部２１と制御装置６とを接続する。主幹線Ｌ２は、第１端が制御装置６に接続されて第２端が終端器Ｅ１により終端されている。複数の住戸線Ｌ３は、複数の分岐器７により主幹線Ｌ２から分岐している。複数の住戸線Ｌ３には、インターホン親機４の通信部４１が１つずつ接続されている。通信路は、例えば、平衡２線式の通信ケーブルで構成されている。
【００２２】
インターホン子機２の第１の操作部２６は、例えば、複数の押し釦を含む。来訪者（ユーザ）は、第１の操作部２６に呼出操作をすることで、複数の住戸のうち１つの住戸の住人を呼び出すことができる。呼出操作は、住戸の部屋番号を指定する操作を含む。来訪者が呼出操作をすると、通信部２１は、制御装置６を介して、指定された部屋番号に対応するインターホン親機４へ呼出信号を出力する。呼出信号がインターホン親機４に入力されると、インターホン親機４のスピーカ４３は、呼出音を発する。このインターホン親機４の親機側操作部４６に応答操作（例えば、釦操作）がされると、インターホン親機４は、制御装置６へ応答信号を送信する。すると、制御装置６によって、インターホン子機２の通信部２１と、このインターホン親機４の通信部４１との間の通信が確立される。
【００２３】
図２において、インターホン子機２の通信部２１は第１の音情報を出力し、インターホン親機４の通信部４１は、第１の音情報の入力を受け付ける。また、インターホン親機４の通信部４１は第２の音情報を出力し、インターホン子機２の通信部２１は、第２の音情報の入力を受け付ける。
【００２４】
インターホン子機２のマイクロホン２５に入力された音は、電気信号に変換される。送話回路２４は、増幅回路と、Ａ／Ｄ変換器と、を含む。送話回路２４の増幅回路は、マイクロホン２５から出力される電気信号を増幅する。送話回路２４のＡ／Ｄ変換器は、マイクロホン２５から出力される電気信号をアナログ信号からデジタル信号に変換して、制御部３へ出力する。通信部２１は、このデジタル信号を第１の音情報としてインターホン親機４の通信部４１へ出力する。より詳細には、通信部２１は、制御装置６（図１参照）を介して、第１の音情報を通信部４１へ出力する。
【００２５】
通信部４１へ入力された第１の音情報は、制御部５を介して受話回路４２へ出力される。受話回路４２は、増幅回路と、Ｄ／Ａ変換器と、を含む。受話回路４２のＤ／Ａ変換器は、第１の音情報をデジタル信号からアナログ信号に変換する。受話回路４２の増幅回路は、アナログ信号を増幅して、スピーカ４３へ出力する。スピーカ４３は、アナログ信号である第１の音情報に基づいた音を出力する。
【００２６】
インターホン親機４のマイクロホン４５に入力された音は、電気信号に変換される。送話回路４４は、増幅回路と、Ａ／Ｄ変換器と、を含む。送話回路４４の増幅回路は、マイクロホン４５から出力される電気信号を増幅する。送話回路４４のＡ／Ｄ変換器は、マイクロホン４５から出力される電気信号をアナログ信号からデジタル信号に変換して、制御部５へ出力する。通信部４１は、このデジタル信号を第２の音情報としてインターホン子機２の通信部２１へ出力する。より詳細には、通信部４１は、制御装置６を介して、第２の音情報を通信部２１へ出力する。
【００２７】
通信部２１へ入力された第２の音情報は、制御部３を介して受話回路２２へ出力される。受話回路２２は、増幅回路と、Ｄ／Ａ変換器と、を含む。受話回路２２のＤ／Ａ変換器は、第２の音情報をデジタル信号からアナログ信号に変換する。受話回路２２の増幅回路は、アナログ信号を増幅して、スピーカ２３へ出力する。スピーカ２３は、アナログ信号である第２の音情報に基づいた音を出力する。
【００２８】
このように、インターホン子機２とインターホン親機４との間の通信が確立されると、インターホン子機２とインターホン親機４との間で第１の音情報及び第２の音情報を通信することができる。これにより、来訪者と住戸の住人とが通話を行うことができる。
【００２９】
スピーカ２３及びマイクロホン２５は、第１のスペースに設置されている。スピーカ２３及びマイクロホン２５は、インターホン子機２の他の構成と一緒に、１つの筐体に集約されている。スピーカ２３及びマイクロホン２５のうち少なくとも一方は、インターホン子機２の他の構成が集約された筐体の外に、当該筐体とは別体に設けられていてもよい。
【００３０】
音量制御部３１は、スピーカ２３が出力する音の音量を制御する。音量制御部３１は、受話回路２２の増幅回路のゲインを制御することにより、スピーカ２３が出力する音の音量を制御する。より詳細には、通信部２１がインターホン親機４の通信部４１と通信しているとき、音量制御部３１は、スピーカ２３が出力する音の音量を、第１の音量と、第２の音量との間で切替え可能である。第２の音量は、第１の音量よりも大きい。以下では、「スピーカ２３が出力する音の音量」を、「スピーカ２３の音量」とも称す。
【００３１】
音量制御部３１は、動作モードとして、第１のモードと、第２のモードと、を有し、これら２つのモードを切り替えて動作する。動作モードが第１のモードのとき、音量制御部３１は、スピーカ２３の音量を第１の音量にする。動作モードが第２のモードのとき、音量制御部３１は、スピーカ２３の音量を第２の音量にする。
【００３２】
第２の操作部２７は、例えば、押し釦である。第２の操作部２７は、外部からの操作を受け付ける。音量制御部３１は、第２の操作部２７に所定の操作がされると、動作モードを第２のモードにする。これにより、スピーカ２３の音量が第２の音量になる。所定の操作とは、例えば、第２の操作部２７を押す操作である。
【００３３】
音量制御部３１は、第２の操作部２７に所定の操作がされた状態が継続しているときは、スピーカ２３の音量を第２の音量にし、第２の操作部２７に所定の操作がされていないときは、スピーカ２３の音量を第１の音量にする。つまり、音量制御部３１は、来訪者（ユーザ）が第２の操作部２７を押しているときは、動作モードを第２のモードにし、来訪者が第２の操作部２７を押していないときは、動作モードを第１のモードにする。
【００３４】
また、音量制御部３１は、通信部２１がインターホン親機４の通信部４１との通信を開始すると、スピーカ２３の音量を第１の音量にする。つまり、このとき、音量制御部３１は、動作モードを第１のモードにする。
【００３５】
インターホン子機２には、第２の操作部２７の使い方が表示されていてもよい。例えば、インターホン子機２のうち第２の操作部２７に隣接する部位に、「操作中のみ音量アップ」等の文字が表示されていてもよい。
【００３６】
表示部２８は、例えば、ディスプレイである。表示部２８は、スピーカ２３の音量が第１の音量であるのか、第２の音量であるのかを報知する。より詳細には、表示部２８は、文字、図形、記号、又はこれらの組み合わせを表示することにより、スピーカ２３の音量が第１の音量であるのか、第２の音量であるのかを、来訪者（ユーザ）へ報知する。
【００３７】
出力制御部３２は、マイクロホン２５に入力された音に基づく第１の音情報の通信部２１からインターホン親機４への出力を制御する。出力制御部３２は、通信部２１を制御することにより、第１の音情報の通信部２１からインターホン親機４への出力を制御する。より詳細には、出力制御部３２は、音量制御部３１の動作モードが第２のモードのとき、第１の音情報のインターホン親機４への出力を停止させる。つまり、音量制御部３１の動作モードが第２のモードで、スピーカ２３の音量が第２の音量のときは、マイクロホン２５に音が入力されても、インターホン親機４には、第１の音情報が出力されない。
【００３８】
記憶部３４は、第２の音量の大きさ（設定値）を記憶している。
【００３９】
設定部３３は、第２の音量の大きさを設定する。来訪者（ユーザ）が第１の操作部２６に操作をすることで、第２の音量の大きさが指定されると、設定部３３は、第２の音量の大きさを、指定された大きさにする。設定部３３は、第２の音量の大きさを、インターホン子機２の外部から入力される信号で指定された大きさにしてもよい。また、設定部３３は、第１の音量の大きさ（設定値）を設定してもよいし、第１の音量の大きさと第２の音量の大きさとの両方を個別に設定してもよい。
【００４０】
インターホン子機２とインターホン親機４との間の通信が確立されると、インターホン子機２のカメラ２９は、来訪者を撮像する。カメラ２９で生成された画像は、表示部２８に表示される。また、カメラ２９で生成された画像は、インターホン親機４へ出力され、表示部４８（ディスプレイ）に表示される。
【００４１】
スピーカ４３及びマイクロホン４５は、第２のスペースに設置されている。スピーカ４３及びマイクロホン４５は、インターホン親機４の他の構成と一緒に、１つの筐体に集約されている。スピーカ４３及びマイクロホン４５のうち少なくとも一方は、インターホン親機４の他の構成が集約された筐体の外に、当該筐体とは別体に設けられていてもよい。
【００４２】
（インターホンシステムの動作）
次に、インターホンシステム１の動作例について、図３を参照して説明する。
【００４３】
インターホン子機２の通信部２１とインターホン親機４の通信部４１との間の通信が確立されると（ステップＳ１）、通信部２１と通信部４１との間で第１の音情報及び第２の音情報が通信可能になる。音量制御部３１は、通信部２１と通信部４１との間の通信が確立されたとき、すなわち、通信部２１が通信部４１との通信を開始したとき、まずは、動作モードを第１のモードにする（ステップＳ２）。したがって、スピーカ２３の音量は、第２の音量よりも小さい第１の音量となる。その後、通信部２１と通信部４１との間の通信が継続される（ステップＳ３：Ｙｅｓ）。
【００４４】
インターホン子機２を用いて住戸の住人と通話している来訪者は、必要に応じて、第２の操作部２７に所定の操作（第２の操作部２７を押す操作）をする（ステップＳ４：Ｙｅｓ）。第２の操作部２７に所定の操作がされた状態が継続しているときは、音量制御部３１は、動作モードを第２のモードにする（ステップＳ５）。したがって、スピーカ２３の音量は、第１の音量よりも大きい第２の音量となる。
【００４５】
また、来訪者は、必要に応じて、第２の操作部２７に対する所定の操作をやめる（ステップＳ４：Ｎｏ）。第２の操作部２７に所定の操作がされていないときは、音量制御部３１は、動作モードを第１のモードにする（ステップＳ２）。
【００４６】
すなわち、本実施形態に係るインターホンシステム１の音量制御方法は、インターホン子機２により行われる。音量制御方法は、インターホン親機４と通信する通信ステップと、スピーカ２３が出力する音の音量を制御する音量制御ステップと、を備える。通信ステップでは、インターホン子機２は、インターホン親機４への第１の音情報の出力と、インターホン親機４が出力する第２の音情報の入力の受け付けとを行う。音量制御ステップでは、通信ステップの実行中に、スピーカ２３が出力する音の音量を第１の音量と第２の音量との間で切替え可能である。
【００４７】
来訪者は、例えば、スピーカ２３が出力する音が聞き取り辛い場合に、第２の操作部２７に所定の操作を行って、スピーカ２３の音量を第２の音量にすることができる。
【００４８】
また、来訪者は、例えば、夜間であってスピーカ２３が出力する音が周囲に聞こえにくいようにしたい場合は、第２の操作部２７に所定の操作を行わないことで、スピーカ２３の音量を第１の音量にすることができる。
【００４９】
本開示におけるインターホン子機２（インターホン装置）、インターホンシステム１及びインターホンシステム１の音量制御方法の実行主体は、コンピュータシステムを含んでいる。コンピュータシステムは、１又は複数のコンピュータを有している。コンピュータシステムは、ハードウェアとしてのプロセッサ及びメモリを主構成とする。コンピュータシステムのメモリに記録されたプログラムをプロセッサが実行することによって、本開示におけるインターホン子機２、インターホンシステム１及びインターホンシステム１の音量制御方法の実行主体としての機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ（磁気ディスク）等の非一時的記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００５０】
（第１変形例）
次に、実施形態の第１変形例について、図４を参照して説明する。
【００５１】
第１変形例において、表示部２８は、タッチパネルディスプレイである。表示部２８は、外部からの操作を受け付ける。表示部２８には、スピーカ２３の音量を第１の音量と第２の音量との間で切り替えるための操作がされる。第１変形例では、操作部は、表示部２８のみにより構成されている。第１変形例において、第２の操作部２７（図１参照）は省略されてもよい。
【００５２】
図４は、第１変形例に係る表示部２８を表す。表示部２８の画面は、来訪者表示領域２８１と、部屋番号表示領域２８２と、第１の操作領域２８３と、第２の操作領域２８４と、を含む。
【００５３】
インターホン子機２の通信部２１がインターホン親機４の通信部４１と通信しているとき、来訪者表示領域２８１には、カメラ２９（図２参照）が来訪者を撮像することで生成された画像が表示される。部屋番号表示領域２８２には、来訪者が第１の操作部２６（図１参照）を操作することで指定された部屋番号が表示される。
【００５４】
第１の操作領域２８３及び第２の操作領域２８４はそれぞれ、外部からの操作を受け付ける領域である。インターホン子機２の通信部２１がインターホン親機４の通信部４１と通信しているとき、第１の操作領域２８３には、例えば、「解除」という文字を含む画像が表示される。これにより、第１の操作領域２８３が来訪者に示される。通信部２１が通信部４１と通信しているとき、第２の操作領域２８４には、例えば、「音量Ｕｐ」という文字を含む画像が表示される。これにより、第２の操作領域２８４が来訪者に示される。
【００５５】
音量制御部３１は、通信部２１がインターホン親機４の通信部４１との通信を開始すると、スピーカ２３の音量を第１の音量にする。通信部２１が通信部４１と通信しているとき、第２の操作領域２８４にタッチ操作（所定の操作）がされると、音量制御部３１（図２参照）は、スピーカ２３の音量を第２の音量にする。通信部２１が通信部４１と通信しているとき、第１の操作領域２８３にタッチ操作（規定の操作）がされると、音量制御部３１は、スピーカ２３の音量を第１の音量にする。
【００５６】
インターホン子機２の通信部２１とインターホン親機４の通信部４１との通信が終了すると、表示部２８は、画像の表示をやめる。また、通信部２１と通信部４１との通信が終了すると、表示部２８は、外部からの操作の受け付けをやめる。
【００５７】
第１変形例において、音量制御部３１は、第２の操作領域２８４にタッチ操作がされた状態が継続しているときに、スピーカ２３の音量を第２の音量にしてもよい。さらに、音量制御部３１は、第２の操作領域２８４にタッチ操作がされていないときに、スピーカ２３の音量を第１の音量にしてもよい。
【００５８】
また、第１変形例において、音量制御部３１は、通信部２１がインターホン親機４の通信部４１との通信を開始すると、スピーカ２３の音量を第２の音量にしてもよい。また、第２の操作領域２８４には、例えば、「音量Ｄｏｗｎ」という文字を含む画像が表示されてもよい。そして、音量制御部３１は、第２の操作領域２８４にタッチ操作がされると、スピーカ２３の音量を第１の音量にしてもよい。さらに、音量制御部３１は、第１の操作領域２８３にタッチ操作がされると、スピーカ２３の音量を第２の音量にしてもよい。
【００５９】
あるいは、音量制御部３１は、第２の操作領域２８４にタッチ操作がされた状態が継続しているときに、スピーカ２３の音量を第１の音量にしてもよい。さらに、音量制御部３１は、第２の操作領域２８４にタッチ操作がされていないときに、スピーカ２３の音量を第２の音量にしてもよい。
【００６０】
また、第１変形例において、表示部２８（タッチパネルディスプレイ）は、来訪者（ユーザ）による呼出操作を受け付けてもよい。つまり、第１の操作部２６の機能が表示部２８により実現されてもよい。この場合、第１の操作部２６は省略されてもよい。あるいは、インターホンシステム１は、第１の操作部２６の機能を実現するためのタッチパネルディスプレイを、表示部２８とは別に備えていてもよい。
【００６１】
（第２変形例）
次に、実施形態の第２変形例について説明する。
【００６２】
第２変形例において、インターホン子機２は、時計を更に備えている。時計が時間を計測することで、現在の時間帯の情報（例えば、現在の時刻の情報）が音量制御部３１へ出力される。
【００６３】
インターホン子機２の通信部２１がインターホン親機４の通信部４１と通信しているとき、音量制御部３１は、第１の時間帯に、スピーカ２３の音量を第１の音量にし、第２の時間帯に、スピーカ２３の音量を第２の音量にする。第２の時間帯は、第１の時間帯とは異なる時間帯である。第１の時間帯及び第２の時間帯は、例えば、第１の操作部２６に対する操作により設定され、記憶部３４に記憶される。
【００６４】
例えば、第１の時間帯と比較して、スピーカ２３の周囲でより大きな音が発生する可能性が高い時間帯が、第２の時間帯に設定される。あるいは、第２の時間帯と比較して、スピーカ２３の音量をより小さくすべき時間帯が、第１の時間帯に設定される。第１の時間帯は、例えば、夜間と早朝とを含む時間帯である。第２の時間帯は、例えば、昼間の時間帯である。例えば、第１の時間帯は、午後５時から午前８時までであって、第２の時間帯は、午前８時から午後５時までである。
【００６５】
第２変形例によれば、音量制御部３１は、第１の時間帯には、スピーカ２３の音量を第１の音量にし、第２の時間帯には、スピーカ２３の音量を第１の音量よりも大きい第２の音量にする。これにより、第１の時間帯には、第２の時間帯と比較してスピーカ２３の音量を抑制でき、第２の時間帯には、スピーカ２３の周囲で大きな音が発生していても、第１の時間帯と比較して、来訪者は、スピーカ２３が出力する音を聞き取りやすい。
【００６６】
インターホン子機２において、第２の操作部２７は省略されてもよい。あるいは、第１の時間帯であっても、第２の操作部２７に所定の操作がされると、音量制御部３１は、スピーカ２３の音量を第２の音量にしてもよい。つまり、音量制御部３１は、スピーカ２３の音量を時間帯に応じて制御することよりも、第２の操作部２７への操作に応じて制御することを優先させてもよい。
【００６７】
あるいは、第１の時間帯及び第２の時間帯のいずれとも異なる第３の時間帯には、音量制御部３１は、スピーカ２３の音量を自動では制御せず、第２の操作部２７に対する操作に応じて制御してもよい。
【００６８】
あるいは、音量制御部３１は、第１の時間帯及び第２の時間帯のうち一方の時間帯には、スピーカ２３の音量を第１の音量又は第２の音量にし、他方の時間帯には、スピーカ２３の音量を自動では制御せず、第２の操作部２７に対する操作に応じて制御してもよい。
【００６９】
あるいは、音量制御部３１は、スピーカ２３の音量を、時間帯、日付、曜日、月、季節又はこれらの組み合わせに応じて制御してもよい。
【００７０】
また、設定部３３は、時間帯に応じて、第１の音量の大きさの設定値及び第２の音量の大きさの設定値のうち少なくとも一方を変更してもよい。
【００７１】
（第３変形例）
次に、実施形態の第３変形例について説明する。
【００７２】
第３変形例において、音量制御部３１は、マイクロホン２５に入力された音に基づいて、スピーカ２３の音量を第１の音量又は第２の音量にする。より詳細には、音量制御部３１は、マイクロホン２５に入力された音の騒音レベルが閾値以上の場合に、スピーカ２３の音量を第２の音量にする。また、音量制御部３１は、マイクロホン２５に入力された音の騒音レベルが閾値未満の場合に、スピーカ２３の音量を第１の音量にする。
【００７３】
音量制御部３１は、例えば、次のようにして騒音と来訪者の声とを区別する。マイクロホン２５に入力された音は、電気信号に変換され、送話回路２４を介して音量制御部３１に入力される。上記電気信号は、マイクロホン２５に入力された音の波形の情報を含む。音量制御部３１は、マイクロホン２５に入力された音の波形に、所定時間内の強度の変化の幅が所定値以下の成分が含まれていると、この成分を騒音と判断する。音量制御部３１は、騒音の大きさが閾値以上の場合に、スピーカ２３の音量を第２の音量にする。閾値は、例えば、記憶部３４に記憶されている。
【００７４】
第３変形例によれば、音量制御部３１は、インターホン子機２の周囲の騒音の大きさに応じてスピーカ２３の音量を制御するので、スピーカ２３の音量をより適切に制御できる。
【００７５】
インターホン子機２において、第２の操作部２７は省略されてもよい。あるいは、マイクロホン２５に入力された音の騒音レベルが閾値未満であっても、第２の操作部２７に所定の操作がされると、音量制御部３１は、スピーカ２３の音量を第２の音量にしてもよい。つまり、音量制御部３１は、スピーカ２３の音量を騒音レベルに応じて制御することよりも、第２の操作部２７への操作に応じて制御することを優先させてもよい。
【００７６】
また、インターホン子機２は、第２の操作部２７とは別の第３の操作部を備えていてもよい。第３の操作部は、例えば、押し釦である。音量制御部３１は、マイクロホン２５に入力された音の騒音レベルが閾値以上であっても、第３の操作部を押す操作（規定の操作）がされると、スピーカ２３の音量を第１の音量にしてもよい。
【００７７】
また、音量制御部３１は、マイクロホン２５に入力された音の騒音レベルが閾値以上の場合にスピーカ２３の音量を第２の音量にすることと、騒音レベルが閾値未満の場合にスピーカ２３の音量を第１の音量にすることとのうち、一方のみを行ってもよい。
【００７８】
また、音量制御部３１は、マイクロホン２５に入力された音の騒音レベルに代えて、マイクロホン２５に入力された音の高さ等に基づいてスピーカ２３の音量を制御してもよい。あるいは、音量制御部３１は、マイクロホン２５に入力された音の騒音レベルに加えて、マイクロホン２５に入力された音の高さ等に基づいてスピーカ２３の音量を制御してもよい。
【００７９】
また、設定部３３は、騒音レベルに応じて、第１の音量の大きさの設定値及び第２の音量の大きさの設定値のうち少なくとも一方を変更してもよい。
【００８０】
また、インターホンシステム１は、来訪者の声が入力されるマイクロホン２５とは別の第２のマイクロホンを更に備えていてもよい。音量制御部３１は、マイクロホン２５ではなく第２のマイクロホンに入力された音に基づいて、スピーカ２３の音量を第１の音量又は第２の音量にしてもよい。
【００８１】
（実施形態のその他の変形例）
次に、実施形態のその他の変形例を列挙する。以下の変形例は、第１変形例乃至第３変形例と適宜組み合わせて実現されてもよい。
【００８２】
実施形態では、第２の操作部２７に所定の操作がされた状態が継続しているときは、音量制御部３１は、スピーカ２３の音量を第２の音量にする。これに対して、第２の操作部２７に所定の操作がされた状態が継続しているときは、音量制御部３１は、スピーカ２３の音量を第１の音量にしてもよい。
【００８３】
また、インターホン子機２は、第２の操作部２７とは別の第３の操作部を備えていてもよい。第３の操作部は、例えば、押し釦である。そして、音量制御部３１は、第３の操作部を押す操作（規定の操作）がされたときに、スピーカ２３の音量を第１の音量にしてもよい。さらに、音量制御部３１は、第２の操作部を押す操作（所定の操作）がされたときに、スピーカ２３の音量を第２の音量にしてもよい。
【００８４】
あるいは、音量制御部３１は、第３の操作部を押す操作（規定の操作）がされたときに、スピーカ２３の音量を第１の音量ではなく第２の音量にしてもよい。さらに、音量制御部３１は、第２の操作部を押す操作（所定の操作）がされたときに、スピーカ２３の音量を第１の音量にしてもよい。
【００８５】
また、第１変形例において、第３の操作部の機能が表示部２８（タッチパネルディスプレイ）により実現されてもよい。あるいは、インターホンシステム１は、第３の操作部の機能を実現するためのタッチパネルディスプレイを、表示部２８とは別に備えていてもよい。
【００８６】
第１の操作部２６、第２の操作部２７及び第３の操作部の機能は、１つのタッチパネルディスプレイにより実現されてもよいし、複数のタッチパネルディスプレイにより実現されてもよい。また、第１の操作部２６、第２の操作部２７及び第３の操作部のうち１つ又は２つの機能のみが、１又は複数のタッチパネルディスプレイにより実現されてもよい。
【００８７】
また、インターホン子機２は、第２の操作部２７に所定の操作がされる度に、スピーカ２３の音量を第１の音量と第２の音量との間で切り替えてもよい。
【００８８】
また、実施形態では、スピーカ２３の音量が第２の音量のとき、出力制御部３２は、マイクロホン２５に入力された音に基づく第１の音情報の通信部２１からインターホン親機４への出力を停止させる。これにより、スピーカ２３が出力する音がマイクロホン２５に入力されてハウリングが発生する可能性を低減できる。これに対して、スピーカ２３の音量が第２の音量のとき、出力制御部３２は、インターホン親機４のスピーカ４３が出力する音の音量が小さくなるように、第１の音情報を変更してもよい。すなわち、スピーカ２３の音量が第２の音量のとき、出力制御部３２は、第１の音情報のうち音量の情報（例えば、数値）を、より小さい音量を示す情報（例えば、より小さい数値）に変更する。これにより、インターホン親機４のスピーカ４３が出力する音の音量が小さくなる。この場合、音量制御部３１の動作モードが第２のモードで、スピーカ２３の音量が第２の音量のときは、インターホン親機４のスピーカ４３から出力される音は、音量制御部３１の動作モードが第１のモードのときよりも小さくなる。この場合も、ハウリングが発生する可能性を低減できる。
【００８９】
また、第２の操作部２７は、押し釦に限定されない。第２の操作部２７は、例えば、スライドスイッチであってもよい。
【００９０】
また、音量制御部３１は、スピーカ２３の音量を第１の音量と第２の音量との２つの音量の間で切替え可能であるだけでなく、スピーカ２３の音量を３つ以上の音量の間で切替え可能であってもよい。あるいは、音量制御部３１は、スピーカ２３の音量を連続的に増加又は減少させることが可能であってもよい。
【００９１】
また、音量制御部３１は、スピーカ２３の音量の上限値及び下限値の少なくとも一方を、時間帯に応じて変更してもよい。例えば、音量制御部３１は、第１の時間帯（例えば、夜間と早朝とを含む時間帯）には、スピーカ２３の音量の上限値を第１の上限値にし、第２の時間帯（例えば、昼間の時間帯）には、スピーカ２３の音量の上限値を第１の上限値よりも大きい第２の上限値にしてもよい。また、音量制御部３１は、第１の時間帯には、スピーカ２３の音量の下限値を第１の下限値にし、第２の時間帯には、スピーカ２３の音量の下限値を第１の下限値よりも大きい第２の下限値にしてもよい。
【００９２】
また、音量制御部３１は、通信部２１がインターホン親機４の通信部４１との通信を開始すると、スピーカ２３の音量を第１の音量にしてもよいし、第２の音量にしてもよい。
【００９３】
また、表示部２８は、ディスプレイであることに限定されない。表示部２８は、例えば、光源を含み、光源の点灯状態を切り替えることで、スピーカ２３の音量が第１の音量であるのか、第２の音量であるのかを報知してもよい。例えば、光源は、スピーカ２３の音量が第１の音量であるときに消灯させられ、スピーカ２３の音量が第２の音量であるときに点灯させられてもよい。
【００９４】
また、音量制御部３１は、インターホン子機２を使用する来訪者（ユーザ）の位置に応じて、スピーカ２３の音量を制御してもよい。例えば、スピーカ２３の周囲の予め決められたエリアの中に来訪者がいる場合は、スピーカ２３の音量を第１の音量にし、当該エリアの中に来訪者がいない場合は、スピーカ２３の音量を第２の音量にしてもよい。来訪者の位置は、例えば、カメラ２９又は人感センサにより検出される。
【００９５】
また、音量制御部３１は、インターホン子機２を使用する来訪者（ユーザ）の属性に応じて、スピーカ２３の音量を制御してもよい。来訪者の属性とは、例えば、来訪者の年齢及び性別等である。あるいは、音量制御部３１は、インターホン子機２を使用する来訪者（ユーザ）が記憶部３４に記憶された特定の人物である場合に、その人物が誰であるかに応じて、スピーカ２３の音量を制御してもよい。来訪者の属性の判定又は来訪者が誰であるかの判定は、例えば、カメラ２９で撮像された来訪者の画像に基づいて行われる。例えば、制御部３は、人の画像と人の年齢及び性別との関係をディープラーニングにより学習した学習済みニューラルネットワークを用いて、来訪者の画像から来訪者の年齢及び性別を推定する。
【００９６】
また、インターホン子機２の各構成は、１つの筐体内に集約されていてもよいし、複数の筐体に分散して設けられていてもよい。インターホン親機４の各構成は、１つの筐体に収容されていてもよいし、複数の筐体に分散して設けられていてもよい。
【００９７】
また、音量制御部３１は、次の３つのモードのうち、２つ又は３つのモードを切替え可能であってもよい。３つのモードのうち１つは、実施形態のように第２の操作部２７への操作によりスピーカ２３の音量を制御するモードである。３つのモードのうち別の１つは、第２変形例のように時間帯に応じてスピーカ２３の音量を制御するモードである。３つのモードのうち残りの１つは、第３変形例のように騒音レベルに応じてスピーカ２３の音量を制御するモードである。
【００９８】
（まとめ）
以上説明した実施形態等から、以下の態様が開示されている。第１の態様に係るインターホン装置（インターホン子機２）は、施設の第１のスペースに設置される。インターホン装置は、通信部２１と、音量制御部３１と、を備える。通信部２１は、通信装置（インターホン親機４）へ呼出信号を出力し、通信装置が呼出信号に応答すると、通信装置と通信し、通信装置への第１の音情報の出力と、通信装置が出力する第２の音情報の入力の受け付けとを行う。通信装置は、施設の第１のスペースとは異なる第２のスペースに設置される。音量制御部３１は、第２の音情報に基づいた音であってスピーカ２３が出力する音の音量を制御する。スピーカ２３は、第１のスペースに設置される。通信部２１が通信装置と通信しているとき、音量制御部３１は、音量を、第１の音量と第２の音量との間で切替え可能である。第２の音量は、第１の音量よりも大きい。
【００９９】
上記の構成によれば、通信部２１が通信装置（インターホン親機４）と通信しているとき、音量制御部３１は、スピーカ２３が出力する音の音量を第１の音量と、第１の音量よりも大きい第２の音量との間で切替え可能である。これにより、音量制御部３１は、音量を適切な大きさにすることができる。例えば、音量制御部３１は、音量を来訪者にとって聞こえやすい音量にすることができる。
【０１００】
また、第２の態様に係るインターホン装置（インターホン子機２）では、第１の態様において、操作部（第２の操作部２７又は表示部２８）を更に備える。操作部は、外部からの操作を受け付ける。音量制御部３１は、操作部に所定の操作がされると、音量を第１の音量又は第２の音量にする。
【０１０１】
上記の構成によれば、インターホン装置（インターホン子機２）を利用する来訪者は、操作部（第２の操作部２７又は表示部２８）に所定の操作をすることで、スピーカ２３が出力する音の音量を適宜変更できる。
【０１０２】
また、第３の態様に係るインターホン装置（インターホン子機２）では、第２の態様において、音量制御部３１は、操作部（第２の操作部２７又は表示部２８）に所定の操作がされると、音量を第２の音量にする。音量制御部３１は、操作部に規定の操作がされると、音量を第１の音量にする。規定の操作は、所定の操作とは異なる操作である。
【０１０３】
上記の構成によれば、インターホン装置（インターホン子機２）を利用する来訪者は、スピーカ２３が出力する音の音量を、第１の音量と第２の音量とに任意に切り替えることができる。
【０１０４】
また、第４の態様に係るインターホン装置（インターホン子機２）では、第２の態様において、音量制御部３１は、操作部（第２の操作部２７又は表示部２８）に所定の操作がされた状態が継続しているときは、音量を第２の音量にし、操作部に所定の操作がされていないときは、音量を第１の音量にする。
【０１０５】
上記の構成によれば、インターホン装置（インターホン子機２）を利用する来訪者は、スピーカ２３が出力する音の音量を第１の音量にしたいときは、操作部（第２の操作部２７又は表示部２８）に所定の操作を行わなくてもよくなる。また、操作部に所定の操作がされていないときには、スピーカ２３が出力する音の音量は第１の音量と第２の音量とのうち小さい方の第１の音量になるので、スピーカ２３が出力する音が来訪者以外に聞こえる可能性を低減できる。
【０１０６】
また、第５の態様に係るインターホン装置（インターホン子機２）では、第２の態様において、音量制御部３１は、操作部（第２の操作部２７又は表示部２８）に所定の操作がされた状態が継続しているときは、音量を第１の音量にし、操作部に所定の操作がされていないときは、音量を第２の音量にする。
【０１０７】
上記の構成によれば、インターホン装置（インターホン子機２）を利用する来訪者は、スピーカ２３が出力する音の音量を第２の音量にしたいときは、操作部（第２の操作部２７又は表示部２８）に所定の操作を行わなくてもよくなる。また、操作部に所定の操作がされていないときには、スピーカ２３が出力する音の音量は第１の音量と第２の音量とのうち大きい方の第２の音量になるので、インターホン装置を利用する来訪者は、スピーカ２３が出力する音を聞き取りやすい。
【０１０８】
また、第６の態様に係るインターホン装置（インターホン子機２）では、第２〜４の態様のいずれか１つにおいて、音量制御部３１は、通信部２１が通信装置（インターホン親機４）との通信を開始すると、音量を第１の音量にする。
【０１０９】
上記の構成によれば、通信部２１が通信装置（インターホン親機４）との通信を開始すると、スピーカ２３が出力する音の音量は第１の音量と第２の音量とのうち小さい方の第１の音量になるので、スピーカ２３が出力する音が来訪者以外に聞こえる可能性を低減できる。
【０１１０】
また、第７の態様に係るインターホン装置（インターホン子機２）では、第２〜６の態様のいずれか１つにおいて、操作部（表示部２８）は、外部からの操作を受け付けるディスプレイを含む。ディスプレイは、通信部２１が通信装置（インターホン親機４）と通信しているとき、外部からの操作を受け付ける領域（第１の操作領域２８３及び第２の操作領域２８４）を示す画像を表示し、通信部２１と通信装置とのの通信が終了すると、画像の表示をやめる。
【０１１１】
上記の構成によれば、ディスプレイに画像を常時表示する場合と比較して、ディスプレイで消費される電力量を低減できる。
【０１１２】
また、第８の態様に係るインターホン装置（インターホン子機２）では、第１〜７の態様のいずれか１つにおいて、通信部２１が通信装置（インターホン親機４）と通信しているとき、音量制御部３１は、第１の時間帯に音量を第１の音量にし、第２の時間帯に音量を第２の音量にする。第２の時間帯は、第１の時間帯とは異なる時間帯である。
【０１１３】
上記の構成によれば、スピーカ２３が出力する音の音量を、時間帯に応じて適宜変更できる。
【０１１４】
また、第９の態様に係るインターホン装置（インターホン子機２）では、第１〜８の態様のいずれか１つにおいて、音量制御部３１は、マイクロホン２５に入力された音に基づいて、音量を第１の音量又は第２の音量にする。マイクロホン２５は、第１のスペースに設置される。
【０１１５】
上記の構成によれば、スピーカ２３が出力する音の音量を、第１のスペースに設置されたマイクロホン２５に入力された音に基づいて、適宜変更できる。
【０１１６】
また、第１０の態様に係るインターホン装置（インターホン子機２）では、第１〜９の態様のいずれか１つにおいて、出力制御部３２を更に備える。出力制御部３２は、第１の音情報の通信部２１から通信装置（インターホン親機４）への出力を制御する。第１の音情報は、マイクロホン２５に入力された音に基づく。マイクロホン２５は、第１のスペースに設置される。出力制御部３２は、音量制御部３１が音量を第２の音量にしているとき、第１の音情報の通信部２１から通信装置への出力を停止させる、又は、第１の音情報に基づいた音であってスピーカ４３が出力する音の音量が小さくなるように、第１の音情報を変更する。スピーカ４３は、第２のスペースに設置される。
【０１１７】
上記の構成によれば、出力制御部３２は、第１のスペースに設置されたスピーカ２３が出力する音の音量が第１の音量よりも大きい第２の音量のとき、マイクロホン２５に入力された音に基づく第１の音情報の通信部２１から通信装置（インターホン親機４）への出力を停止させる。又は、出力制御部３２は、第２のスペースに設置されたスピーカ４３が出力する音の音量が小さくなるように音情報を変更する。したがって、第１のスペースに設置されたスピーカ２３が出力する音がマイクロホン２５に入力されてハウリングが発生する可能性を低減できる。
【０１１８】
また、第１１の態様に係るインターホン装置（インターホン子機２）では、第１〜１０の態様のいずれか１つにおいて、設定部３３を更に備える。設定部３３は、第２の音量の大きさを設定する。
【０１１９】
上記の構成によれば、スピーカ２３の設置状況等に応じて、第２の音量の大きさを設定できる。
【０１２０】
また、第１２の態様に係るインターホン装置（インターホン子機２）では、第１〜１１の態様のいずれか１つにおいて、報知部（表示部２８）を更に備える。報知部は、音量が第１の音量であるのか、第２の音量であるのかを報知する。
【０１２１】
上記の構成によれば、インターホン装置（インターホン子機２）を利用する来訪者は、音量が第１の音量であるのか、第２の音量であるのかを知ることができる。
【０１２２】
第１の態様以外の構成については、インターホン装置（インターホン子機２）に必須の構成ではなく、適宜省略可能である。
【０１２３】
また、第１３の態様に係るインターホンシステム１は、第１〜１２の態様のいずれか１つに係るインターホン装置（インターホン子機２）と、通信装置（インターホン親機４）と、を備える。通信装置は、通信部２１と通信する。
【０１２４】
上記の構成によれば、インターホン装置（インターホン子機２）の通信部２１が通信装置（インターホン親機４）と通信しているとき、スピーカ２３が出力する音の音量を適切な大きさにすることができる。
【０１２５】
また、第１４の態様に係る音量制御方法は、スピーカ２３が出力する音の音量制御方法である。スピーカ２３は、施設の第１のスペースに設置される。音量制御方法は、通信ステップと、音量制御ステップと、を備える。通信ステップでは、通信装置（インターホン親機４）へ呼出信号を出力し、通信装置が呼出信号に応答すると、通信装置と通信し、通信装置への第１の音情報の出力と、通信装置が出力する第２の音情報の入力の受け付けとを行う。通信装置は、施設の第１のスペースとは異なる第２のスペースに設置される。音量制御ステップでは、第２の音情報に基づいた音であってスピーカ２３が出力する音の音量を制御する。音量制御ステップでは、通信ステップの実行中に、音量を、第１の音量と第２の音量との間で切替え可能である。第２の音量は、第１の音量よりも大きい。
【０１２６】
上記の構成によれば、インターホン装置（インターホン子機２）が通信装置（インターホン親機４）と通信しているとき、スピーカ２３が出力する音の音量を適切な大きさにすることができる。
【０１２７】
また、第１５の態様に係るプログラムは、第１４の態様に係る音量制御方法を、コンピュータシステムに実行させる。
【０１２８】
上記の構成によれば、インターホン装置（インターホン子機２）が通信装置（インターホン親機４）と通信しているとき、スピーカ２３が出力する音の音量を適切な大きさにすることができる。
【符号の説明】
【０１２９】
１  インターホンシステム
２  インターホン子機（インターホン装置）
２１  通信部
２３  スピーカ
２５  マイクロホン
２７  第２の操作部（操作部）
２８  表示部（操作部、報知部）
２８３  第１の操作領域（領域）
２８４  第２の操作領域（領域）
３１  音量制御部
３２  出力制御部
３３  設定部
４  インターホン親機（通信装置）
４３  スピーカ
【図１】
2019193068.tif 000003
【図２】
2019193068.tif 000004
【図３】
2019193068.tif 000005
【図４】
2019193068.tif 000006